(57)【要約】 【課題】 正確な分別ができていない事でゴミ処理業者の処理が困難、環境破壊の原因、不法投棄などの問題がある。しかし個々がゴミ出し知識に時間を要し、手間をかけて分別しなければいけない為、面倒さが正確な分別の妨げになる。また、収集日が少ないものは出し忘れ、ゴミ袋に不正混ぜ込み処分する原因である。【解決手段】 この発明装置や方法によりゴミの収集日と異なるゴミであればスピーカーから警告音やディスプレイから文字で利用者に知らせることが可能。また、ポイントサービスなどを実施しゴミを捨てる個数に応じて加算し、インターネット上で利用者が確認する事が可能で楽しく正確なゴミの分別の向上を促す効果がある。また、粗大ゴミなどの収集場所が異なる場合などの報告をディスプレイから表示する事で思い出させる効果と不法投棄や不正混ぜ込みゴミの防止、CO2削減にもなる。【選択図】図３
2010020575.tif 000002
【特許請求の範囲】
【請求項１】
この発明は利用者（ゴミ収集ボックスに投入する者）に正確なゴミ分別であるか知らせる事を特徴とする管理システム装置です。利用者を識別するICカードやICチップ内蔵端末のデータ１、図１のゴミに貼付したICタグのデータ２、図３B９のICタグ（RFID）読み取り書き込み装置（リーダ／ライタという情報を読み書きする外部装置）、図３B７の音で知らせるコンピュータに接続したスピーカー出力装置、図３B８の文字や画像で知らせるコンピュータに接続したディスプレイ出力装置、図３B６のコンピュータに接続した無線機器の装置、表１のゴミ比較データ３、表４のゴミ投入者履歴データ４、表５のメッセージ設定データ７、ゴミ出し投入管理ウェブアプリケーション（ウェブの機能や特徴を利用したアプリケーションソフトウェアのことである。一例としては、ブログ、電子掲示板、オンラインバンキング、オンライントレード、ショッピングカートなどを挙げることができる。）、ICタグリーダ／ライタ販売業者独自のソフトウェア、音ファイル、文字テキストファイル、画像ファイルからなる発明。なお、データは必要に応じて自由に変えられるものとする。 ICタグ（RFID）に登録した商品情報、又は製造関係業者により登録された商品情報を格納したICタグをゴミに貼付し、RFID読み取り書き込み装置（リーダ／ライタという情報を読み書きする外部装置）を有するゲートを通過した時、読み取られたゴミデータ２が中央処理装置、メインメモリ、メインメモリ中のプログラム、入出力装置、表１のゴミ比較データ３により構成されるコンピュータと前記投入したゴミがゴミ投入許可日と一致したゴミであるか否かを特定するため中央処理装置は前記メインメモリ中のプログラムの指令に基づき判断し、ゴミ収集日に一致したゴミを投入した者であると判断した場合、表４のゴミ投入者履歴データ４から資源ごみなどのゴミ個数に応じてポイント数や累計をコンピュータに接続したディスプレイから表示する。また、コンピュータに接続したスピーカーから合計数を音声で鳴らしたりする事も必要に応じて可能。一方ゴミ収集日でない日に投入した者に対しての対応として、刃物などの危険物や埋め立てゴミやその他のゴミなど、知らせないといけないゴミは事前にデータに書き込んでおいて、利用者に間違いである事を知らせる為に音ファイルやテキストファイルを読み込みウェブアプリケーションに設定をし、コンピュータに接続したスピーカーから音で出力する。また、テキストファイルや画像ファイルを読み込みパソコンに接続したディスプレイに文字や画像を出力し利用者に知らせる事が可能な管理システム装置や方法。ゴミ出し利用者に粗大ゴミの収集日やその他知らせたい内容を上記の方法で表５のメッセージ設定データ７のメッセージ内容を、コンピュータに接続したディスプレイから表示する。この装置の電源装置は蓄電バッテリー、電池及び太陽光発電装置や風力発電装置などの使用も必要に応じて設置する。
【請求項２】
この発明はポイントサービスを実施した場合に同じゴミを何度も投入しポイント数を増やす不正を防止する識別情報を備えた管理システム装置です。利用者を識別する為に請求項１の内容を含め、ＩＣカード又はICチップ内臓端末などのICチップ内臓物とICタグが貼付したゴミをRFID読み取り書き込み装置を有するゲートを通過する。もし、利用者を識別するICカードなどが無い場合は、タッチパネルから識別番号を入力する事も可能。読み取られた利用者のデータ１と、ゴミ詳細データ２が中央処理装置、メインメモリ、メインメモリ中のプログラム、入出力装置、データ３、データ４が記録された情報記録装置により構成されるコンピュータと前記投入したゴミ収集指定日が一致したゴミであるか否かを特定するため中央処理装置は前記メインメモリ中のプログラムの指令に基づき判断する。ゴミ収集指定日に一致したゴミだと判断した場合、通過した日時等とからなる通過情報を装置内のゴミ投入履歴データ４に、ゴミ投入時２重登録防止の為などの識別情報に必要なデータとともに記録し、ゴミに付けているICタグにも識別情報を記録します。一方ゴミ収集日でない日に投入した者と判断した場合、識別情報を入出力装置に出力せず、なにもしない処理を行うことを特徴とし、ポイントサービスを実施した場合に同じゴミを何度も投入しポイント数を増やす不正を防止する識別情報を備えた管理システム装置です。
【請求項３】
この発明は遠隔地から遠隔操作するリモートアクセス（電話回線や無線網などを通じて、ネットワークやコンピュータに外から接続すること。遠隔地のコンピュータにリモートアクセスすることによって、そのコンピュータを、目の前にある時と同じように直接操作することができる。）機能を特徴とする管理システム装置です。  ゴミ情報一覧データ３とゴミ投入履歴データ４が記録されたコンピュータに接続してある無線機能と移動体通信やWIMAXなど通信網を利用して、インターネット経由でVPN（または仮想プライベートネットワークで現在VPNには、インターネットを介し自前でVPNを構成する『インターネットVPN』と、ISPが提供するIP網を利用する『IP-VPN』の二種類が主流である。）などの技術を利用し、遠隔地からゴミ情報などが格納している上記のコンピュータに接続し、オペレーターが直接コンピュータ内の、ゴミ比較データ３とゴミ投入履歴データ４のデータを取り出し、編集、追加、削除など必要に応じて遠隔地で操作する。また、トラブルシューティングなども行える、遠隔操作機能を特徴とする管理システム装置です。
【請求項４】
この発明はホームページ上でいつでもどこでもゴミ投入履歴を確認できる管理システム装置です。請求項３のように遠隔操作で取り出したゴミ投入履歴データ４の情報から、ウェブアプリケーションを構築し、携帯電話やパソコンなどインターネットの利用可能な端末からいつでもどこででも、本人がゴミ投入履歴の情報をホームページ上で確認できる。これは、正確なゴミ出しの意識の向上を促す企画を実施する場合に、ポイントを集めて図書券や商品券などのプレゼントと引き換えする事が可能になる。例えば、資源ごみのペットボトルのゴミ出し個数に応じてゴミ投入履歴データ４に登録し合計数やゴミ捨て日などの情報が確認できる。請求項２の同じゴミを何度も投入しポイント数を増やす不正を防止する機能がここでも必要になる。ホームページ上でゴミ投入履歴などを確認する為には、ログイン画面中のIDとパスワード領域に識別番号など利用者専用情報のIDとパスワードを入力し、ゴミ投入履歴管理詳細画面に移動する。そのデータの内容はゴミ投入履歴データ４から、投入日と識別番号、ゴミ投入個数、その他必要な情報を取り出したデータと、パスワードやIDなど必要なデータを新規に追加し組み合わせる。このホームページ上でログイン確認データ５からIDとパスワードが一致すれば、利用者専用画面に移動する。もし、IDとパスワードが異なれば異なる画面に移動する。一致した利用者は自分の専用画面でゴミ投入履歴一覧が確認できる。ポイントサービスなどを実施した場合はポイントに応じて商品などと交換できる証明になるなどの特徴があるホームページ上でゴミ投入履歴を確認できる管理システム装置です。
【請求項５】
この発明は請求項３のコンピュータをゴミ収集ボックス内に設置し遠隔地からゴミ収集ボックスにアクセスし操作をする方法とは異なり、表１のゴミ比較データ３、表４のゴミ投入者履歴データ４、ゴミ出し投入管理ウェブアプリケーション、中央処理装置など必要な装置を１ヵ所に集めゴミ収集ボックスの利用状況などをシンクライアント（情報システムにおいて、ゴミ収集ボックスに設置したコンピュータに最低限の機能しか持たせず、サーバ側でアプリケーションソフトやファイルなどの資源を管理する。）とリモートアクセスで集中管理、処理するシステム装置です。ICタグの貼付したゴミと識別ICカードなどをICリーダ／ライタに通過させた後、インターネットに接続して集中管理コンピュータに（ウエブサーバ装置、データベースサーバ装置、その他の必要に応じた装置）ゴミ投入時の情報を送信し処理する機能を特徴とする装置です。
【請求項６】
この発明は請求項１〜請求項５の内容を含め、事前にごみ捨て利用者に知らせ内容を表５の表5のメッセージ設定データ７とウェブアプリケーションでインターネットに接続しホームページ上の電子掲示板（コンピュータネットワークを使用した環境で、記事を書き込んだり、閲覧したり、コメントを付けられるようにした仕組みの事である。英語表記の略語で "BBS" と呼んだりする。）機能でお知らせ内容を設定する。設定する管理者はインターネット利用可能な携帯電話やコンピュータ、PDAなどの端末から設定する。電子掲示板に入力した内容は表５のメッセージ設定データ７に登録される。このデータ７の内容を請求項３のVPNを使用し遠隔地からゴミ収集ボックス内のコンピュータにデータを追加する方法か請求項５のシンクライアントとリモートアクセス技術を使用し集中管理コンピュータ内でデータを追加し、請求項１、請求項２の内容でディスプレイ出力装置に表示させる装置です。
【発明の詳細な説明】
【技術分野】
【０００１】
本発明は上記のように、ゴミにICタグを貼り付け、ゴミ出しの利用者が識別できるICカードやICチップ内臓端末（それらが無い場合はタッチパネルなどから識別番号を入力する）などとICタグを付けたゴミを一緒にICチップ読み取り書き込み装置を有するゲートを通過する事により、コンピュータ内に情報が送信され、プログラムにより処理され参照、比較、記憶、変更、削除、追加と状況に応じて適切に処理をし、ゴミ出しの正確な分別を促す事を目的とする。多種多様なゴミを投入する様々なシーンに適切にスピーカーから音で知らせたり、ディスプレイから文字や画像で知らせたり、無反応と状況に応じた設定が可能。また、ゴミの投入履歴を管理しインターネット経由で利用者もホームページ上から自分のゴミ出し履歴を確認する事ができる。また、ゴミ出し履歴を確認可能、ポイント還元サービスなどを実施することにより、意識の向上効果を促す。また、ゴミ捨て利用者に収集日の少ないゴミ収集や粗大ゴミなどの収集場所が異なる場合などにごみ収集ボックス内のディスプレイからお知らせする事が可能なゴミ分別管理装置。この装置の電源は電池及び太陽光発電や風力発電を使用する事も可能。システムに関する発明。
【背景技術】
【０００２】
ICタグのシステムは、ICチップとアンテナで構成されたICタグと、リーダ／ライタという情報を読み書きする外部装置、それに情報を処理するコンピュータで構成されています。仕組みとしては、ICタグに記憶されている情報をリーダ／ライタが読み取ってコンピュータに送り、コンピュータはその情報をもとに、商品に関する情報処理を行います。ICタグのメモリの種類によっては、逆にコンピュータからの情報をリーダ／ライタ経由でICタグに書き込むこともできます。リーダ／ライタの磁力が届く範囲にICタグがあると、ICタグの情報を「読み取る」「書き込む」ことができます。また、パッシブタグの場合は、リーダ／ライタからICタグのアンテナに向けて強い電波を放出することで、ICタグに電力を与えて活性化させています。
【０００３】
RFID（Radio Frequency Identificationの略）は、ID情報を埋め込んだタグから、電磁界や電波などを用いた近距離（周波数帯によって数cm〜数m）の無線通信によって情報をやりとりするもの、および技術全般を指す。ICタグそのものを指したり、パッシブタイプのICタグのみを指したりすることもある。非接触ICカードも、RFIDと同様の技術を用いており、広義のRFIDの一種に含まれる。
【０００４】
上記のICタグのシステムを使用した、在庫管理、書類管理、万引防止管理などで使用されている。
【特許文献１】特開２００２−１２８２０７
【発明の開示】
【発明が解決しようとする課題】
【０００５】
上記の特許文献１の重量に応じたポイントカードシステムは、重量に応じて発行されるシールを貼付する仕組みになっているため、軽量装置とシール発行装置を設置した専用ゴミボックスを使用しないといけない。また、１個単位の軽量ゴミの場合の対応が不明。レシート発行や計量など操作が複雑。
【０００６】
現在、正確なゴミ出しの効果をあげる為、当番を決め正確にゴミの分別を呼びかけ監視を実施する地域や、ゴミ袋に名前を記入し正確な分別を心がけるよう促す対策がなされているが手間がかかる。
【０００７】
正確に分別した結果を確認や証明する事が困難。また、ゴミ出しの評価も無い為、正確なゴミの分別を実現するには、個々がゴミ出しを意識し時間をかけて知識を要し、プラスチックマークなどを確認しながらゴミを仕分けるなど手間をかけてゴミを出さなければならないわりには利用者のメリットが少ない。
【０００８】
正確な分別ができていない事でゴミ処理業者が、危険ゴミが紛れ込み困っている。しかし個々がゴミ出し知識に時間を要し、手間をかけて分別しなければいけない為、面倒さが正確な分別の妨げになる。また、収集日が少ないものは出し忘れ、不法投棄やゴミ袋に不正混ぜ込み処分する原因である。
【課題を解決するための手段】
【０００９】
ICタグを使用したごみ分別システムは今後、商品管理システムなどで販売関連業が導入した場合や、配送システムなどで運輸業が導入した場合などに共通技術としてICタグや商品情報データの共有が可能になる。ICタグが事前に貼付されてあると、この発明に必要なシステム費用のコストダウンの可能性もある。
【００１０】
請求項１に記載の発明により、ICタグのシステムは、ICチップとアンテナで構成されたICタグと、リーダ／ライタという情報を読み書きする外部装置、それに情報を処理するコンピュータで構成されています。仕組みとしては、ICタグに記憶されている情報をリーダ／ライタが読み取ってコンピュータに送り、コンピュータはその情報をもとに、商品に関する情報処理を行います。ICタグのメモリの種類によっては、逆にコンピュータからの情報をリーダ／ライタ経由でICタグに書き込むこともできます。リーダ／ライタの磁力が届く範囲にICタグがあると、ICタグの情報を「読み取る」「書き込む」ことができる。
【００１１】
請求項１に記載の発明により、利用者を識別するICカードやICチップ内蔵端末のデータ１は事前に利用者識別番号の発行する登録を行い、ICカードやICチップ内蔵端末に登録する。
【００１２】
請求項１に記載の発明により、ゴミに付けたICタグのデータ２は商品製造関連会社が事前にICタグを貼り付け、参照する事が可能で情報を利用できればそれを利用し、そうでなければ、ICタグに商品の情報を登録する。
【００１３】
請求項１に記載の発明により、音で知らせるコンピュータに接続したスピーカー装置は、無線でも有線でもよく、音声や楽曲のデータファイルを使用する
【００１４】
請求項１に記載の発明により、文字や画像で知らせるコンピュータに接続したディスプレイ装置から文字を表示する場合は、テキストファイルを参照し、画像で知らせる場合は画像データファイルを使用する。
【００１５】
請求項１に記載の発明により、コンピュータに接続した無線機器の装置は、携帯電話やPHS、事業者などの移動体通信網や、WIMAX（WiMAX（ワイマックス、Worldwide Interoperability for Microwave Access）は、無線通信技術の規格の一つ。 高速通信（光・メタル）回線の敷設やDSL等の利用が困難な地域で、いわゆるラストワンマイルの接続手段として期待されている。近年は、高速移動体通信用の規格も策定されている。WiMAXは当初、中長距離エリアをカバーする無線通信を目的としており、WiMAXアクセス網は「Wireless  MAN」（Metropolitan Area  Network）と定義される。 WiMAXは異なる機器間での相互接続性確保の為、IEEE 802.16作業部会]]と業界団体のWiMAX Forumにより規格標準化が進められている。）の受信可能な適切な機器を利用し通信する。
【００１６】
請求項１に記載の発明により、表１のゴミ比較データ３はID、ゴミの種類、処分方法、収集日、収集曜日、実行、異なる警告など必要に応じて項目を追加し、ゴミ分別時の比較用データ。
【００１７】
請求項１に記載の発明により、ID、ゴミの種類、投入日、個数、利用者番号、重複防止など必要に応じフィールドを増やし、利用者履歴を管理する為のデータ。
【００１８】
請求項１に記載の発明により、ICタグリーダ／ライタ販売業者独自のソフトウェアは、販売会社によってソフトウェアの仕様も異なり、販売業者の仕様にあわせてソフトウェアを独自に作成しICタグの情報を読み取り、収集指定日と一致しているか比較できるようにする。
【００１９】
請求項１の発明により、ゴミ出し投入管理ソフトウェアについて。ICタグの情報をゴミ比較データ３と比較し、収集日または収集曜日と一致すれば表１のゴミ比較データ３の投入対応項目に従い実行をする。たとえば、音で知らせる場合は音ファイルを実行させスピーカーから音を出す。文字で知らせる場合はテキストファイルを実行させディスプレイから文字を表示する。スピーカーから音で知らせることも可能。画像で知らせる場合も画像ファイルでディスプレイから表示する。指定無しであれば何も実行しない。請求項２に記載の発明により、ポイント還元サービスを実施する場合は、ゴミ出し投入する時に、利用者を識別するICカードやICチップ内蔵端末をかざす。上記のように収集日または収集曜日と一致すれば、表２のゴミ投入者履歴データ４に登録し、図１のゴミに付けたICタグのデータ２にも重複登録を防止する為の識別番号又は記号を登録する。
【００２０】
請求項３に記載の発明により、無線機能で移動体通信やWIMAXなど通信網を利用して、インターネット経由でVPN（Virtual Private  Network）などの技術を利用し、遠隔地からゴミ情報などが格納している上記のコンピュータに接続し、表１のゴミ比較データ３、表２のゴミ投入履歴データ４に追加するゴミ情報が増えた場合などに、情報編集、削除、追加などが発生した場合に必要に応じて操作する。
【００２１】
請求項４に記載の発明により、請求項３の遠隔操作で取り出した表２のゴミ投入履歴データ４の情報を使用しデータベースを構築する。利用者専用ログイン画面を作成し、IDとパスワードを入力し、データベース内のデータと一致した場合は詳細画面に移動し、異なる場合はエラーメッセージ画面に移動する。詳細画面に移動した時は、ゴミ捨て履歴を一覧にし、ゴミの種類や投入日や個数などを確認、ただしゴミを捨てたすべてが確認出来とは限らない）できる。ポイントサービスを実施した場合はこのホームページでポイント数が確認でき証明になる為、ポイントに応じて金券や商品券や図書券や買物券などその他いろいろな商品と交換できるサービスが実施可能。
【００２２】
請求項５に記載の発明により表１のゴミ比較データ３、表４のゴミ投入者履歴データ４、ゴミ出し投入管理ウェブアプリケーション、中央処理装置などを１ヵ所に集めゴミ収集ボックスの利用状況などをシンクライアントとリモートアクセスを融合した技術を利用しゴミ収集ボックスに設置したコンピュータにディスプレイ、スピーカー、ICリーダ／ライタ、マウス、キーボードなど最低限の機能しか持たせず、サーバ側でアプリケーションソフトやファイルなどの資源を集中管理、処理するシステム装置です。ICタグの貼付したゴミと識別ICカードなどをICリーダ／ライタに通過させた後、インターネットに接続して集中管理コンピュータに（ウエブサーバ装置、データベースサーバ装置、その他の必要に応じた装置）ゴミ投入時の情報を送信し処理する装置です。
【００２３】
請求項６に記載の発明により請求項１〜請求項５の内容を含め、事前にごみ捨て利用者に知らせたい内容を管理者がインターネット利用可能な携帯電話やコンピュータなどの端末から表５のメッセージ設定データ７とウェブアプリケーションで管理画面にてIDとパスワードを入力ログインし電子掲示板でメッセージの記事を書き込みお知らせ内容を設定する。書き込まれたお知らせ内容は表５のメッセージ設定データ７に登録され、請求項３の遠隔地からゴミ収集ボックス内のコンピュータにデータを追加する方法か請求項５の集中管理コンピュータ内に書き込むか、データを共有するか必要に応じて変更可能とし、請求項１、請求項２の方法やウェブアプリケーションでディスプレイ出力装置に表示させる装置です。
【発明の効果】
【００２４】
一つのゴミに一つのＩＣタグを貼り付けることにより、一つ一つのゴミを別個に管理できる。
【００２５】
請求項1の発明により、どのゴミがいつ、投入されたか確認でき、これによりゴミ出し履歴の管理を明確にできる。
【００２６】
ICチップ内蔵の普及率の高い携帯電話を利用することにより費用を抑えつつ簡便に本発明を導入できる。
【００２７】
この装置の電源は電池及び太陽光発電装置や風力発電装置を使用する事でCO2削減につながる。
【００２８】
管理者と閲覧者がいつでもどこででも情報を確認できる。
【００２９】
現在利用しているゴミ収集ボックスを改造し身近なシステム構成が安価で構成できる。
【００３０】
ゴミ出し投入履歴の記録ができ、統計も把握できる。
【００３１】
遠隔地からコンピュータを遠隔操作でき管理運営が簡単、廉価に実現できる。
【００３２】
ＩＣタグに付帯して他の情報を予め格納しておくことにより、他のシステムと連携しとても効果的システムの運営が可能である。
【００３３】
ICタグの付いたゴミと利用者を識別できるICカードやICチップ内臓端末を近づけるだけのシステム構成が簡易であり、利用者の意識を混乱させず利用できる。もしICカードやICチップ内臓端末が無い場合、利用者の識別情報をタッチパネルに入力する簡単な操作。
【００３４】
正確な分別でゴミ処理業者の手作業で刃物などの危険物が紛れ込んでいる確立も減少し安全に処理ができる。また、ＣＯ２削減につながる。
【実施例】
【００３５】
本発明を実施するための最良の形態について図を参照しながら説明する。
【００３６】
図１はゴミにICタグを付けた図である 。このゴミを図2の利用者のICカード又はICチップ内臓の端末など本人を識別できる物と一緒に図３−B１０のゴミ分別ボックスのゴミ投入口に通過させる。図３−B９のICリーダ／ライダが感知し図３−B３，B４，B５で処理され、データ表１と一致し分別が正しければ表2に書き込み、データ表１と一致せず分別が正しくなければ表１の投入対応項目にしたがい、図３−B７、B８の出力装置で知らせる事も可能。図４が詳細な流れ図である。
【００３７】
ポイントサービスや、利用者が履歴を確認できるサービスを実施した場合は図３−B６の無線機器を使用しインターネットに接続し、請求項３や請求項５を必要に応じて使用し図３−B４のデータ表２を読み取る。その後、インターネット専用データ表４へ書き込みホームページからIDとパスワードを入力し表３のデータと一致すれば表４のデータからゴミ捨て履歴を図６、図７（図６はパソコンのような大きな画面から見た管理画面のイメージ図で図７は携帯電話のような小さい画面から見た管理画面のイメージ図です。この管理画面は必要に応じ変更が可能である。）のイメージでウェブブラウザー（World Wide Webでハイパーテキストのリンクを辿りながらウェブページを表示するアプリケーションソフトウェアのこと。）から確認ができる。  図５が詳細な流れ図である。
【００３８】
図８はゴミ捨て利用者に収集日の少ないゴミ出し日や、粗大ゴミのような収集場所の違う報告を図３Ｂ８のゴミ収集ボックス内のディスプレイ出力装置から知らせる構成図である。報告をする管理者がインターネットに接続しホームページ上の管理画面でIDとパスワードを入力しログインをする。ウェブアプリケーションの電子掲示板に知らせたい内容を書き込む。書き込まれた内容は表５メッセージ設定データ７に登録され、図３Ｂ８のゴミ収集ボックス内のディスプレイ出力装置から表示する。この内容はゴミ収集ボックス内のディスプレイ出力装置だけではなく、携帯電話やパソコンなどインターネットに接続可能な端末であれば、どこからでも確認をすることができる。また、請求項３や請求項５を必要に応じて使用する。
【００３９】
上記のゴミ捨て利用者がゴミの正確な分別を行う意識を促す為には上記の内容や機能、方法は必要に応じて変更する事が可能とする。
【図面の簡単な説明】
【００４０】
【図１】ゴミ情報格納ＩＣタグをゴミに貼り付けた一例の図である。
【図２】利用者の識別番号及び記号が格納されているICカードやIC投入端末などの図である。
【図３】ゴミ収集ボックスとその中にICリーダ／ライタ装置、中央処理装置、データ装置、プログラム装置、無線機器装置、スピーカー出力装置、ディスプレイ出力装置を設置し、ICカードやICタグを投入口から投入した場合を説明した一例とした図である。
【図４】本発明のゴミ出しが正確に投入されたか比較し、投入後の履歴管理に関するシステム構成図である。
【図５】本発明のゴミ出し投入履歴をインターネットに接続しホームページ上で確認ができる事に関するシステム構成図である。
【図６】パソコンなど画面の大きなディスプレイからゴミ出し履歴一覧表のホームページを見た図です。
【図７】携帯電話など画面の小さいディスプレイからゴミ出し履歴一覧表を見たホームページの図です。
【図８】本発明のお知らせ内容をインターネットに接続したホームページ上の電子掲示板に登録しゴミ収集ボックス内のディスプレイで表示しゴミ投入者が内容を確認できる。また、携帯電話やパソコンなどインターネットに接続可能な端末からゴミ投入者が内容を確認できる流れ図である。
【符号の説明】
【００４１】
A１    ICタグ
A２    ゴミ
B３    中央処理装置
B４    データ装置
B５    プログラム装置
B６    無線機器装置
B７    スピーカー出力装置
B８    ディスプレイ出力装置
B９    ICカード／リーダ装置
B１０  ゴミ投入口
B１１  ICタグ、ICカード
B１２  風力発電装置
B１３  ソーラー光発電装置
C１２  パソコンなどの画面の大きなディスプレイから見たゴミ出し履歴ホームページ
C１３  携帯電話などの画面の小さなディスプレイから見たゴミ出し履歴ホームページ
【００４２】
【表１】
2010020575.tif 000003
【表２】
2010020575.tif 000004
【表３】
2010020575.tif 000005
【表４】
2010020575.tif 000006
【表５】
2010020575.tif 000007
【図１】
2010020575.tif 000008
【図２】
2010020575.tif 000009
【図３】
2010020575.tif 000010
【図４】
2010020575.tif 000011
【図５】
2010020575.tif 000012
【図６】
2010020575.tif 000013
【図７】
2010020575.tif 000014
【図８】
2010020575.tif 000015